【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
ネットワークを介して複数の外部機器と通信可能であり、前記外部機器が実行するプロセスを定義する情報処理装置であって、
前記複数の外部機器のうちプロセスを実行させる対象となる外部機器及び該プロセスの内容を操作者に設定させるための設定画面を表示する表示制御手段と、
前記操作者により前記設定画面を介して設定された情報に基づき、前記プロセスを定義したプロセス定義チケットを生成する生成手段と、
前記対象となる外部機器と同じ処理能力を有する外部機器を、前記複数の外部機器の中から探索する探索手段と、
前記探索手段によって探索された前記外部機器を示す情報を、前記プロセス定義チケットと関連付けて格納する格納手段と
を備えることを特徴とする情報処理装置。
【請求項２】
前記プロセス定義チケットに定義された前記プロセスが前記対象となる外部機器で処理可能か否かを判定する判定手段と、
前記判定手段によって前記対象となる外部機器が前記プロセスを処理できないと判定されると、前記プロセス定義チケットに定義された前記プロセスの内容を前記対象となる外部機器の処理能力に従って編集する編集手段と
をさらに備えることを特徴とする請求項１に記載の情報処理装置。
【請求項３】
前記判定手段は、
前記対象となる外部機器に対して、前記プロセス定義チケットの内容を送信する手段と、
前記対象となる外部機器から、前記プロセス定義チケットの内容を処理可能か否かを示す情報を受信する手段とを備え、
前記受信した情報に従って、前記対象となる外部機器で前記プロセスが処理可能か否かを判定することを特徴とする請求項２に記載の情報処理装置。
【請求項４】
前記編集手段は、
前記対象となる外部機器から該外部機器の処理能力を示す情報を取得する手段を備え、前記取得した情報に従って前記プロセス定義チケットを編集することを特徴とする請求項２または３に記載の情報処理装置。
【請求項５】
前記編集手段は、
前記操作者に対して、前記対象となる外部機器から取得した該外部機器の処理能力を示す情報に基づいて前記プロセスの内容を編集するための編集画面を表示する手段をさらに備え、
前記操作者によって前記編集画面を介して入力された情報に従って前記プロセス定義チケットを編集することを特徴とする請求項４に記載の情報処理装置。
【請求項６】
前記プロセス定義チケットを管理し、前記外部機器からの要求に従って前記プロセス定義チケットを前記外部機器に送信する管理装置に、前記プロセス定義チケットを送信する手段をさらに備えることを特徴とする請求項１乃至５のいずれか１項に記載の情報処理装置。
【請求項７】
前記対象となる外部機器と同じ処理能力を有する外部機器に関する情報を、前記複数の外部機器を分類して定義したテーブルから取得する取得手段をさらに備えることを特徴とする請求項１乃至６のいずれか１項に記載の情報処理装置。
【請求項８】
処理能力ごとに前記複数の外部機器を分類して定義した前記テーブルを保持する保持手段をさらに備え、
前記取得手段は、
前記保持手段から、前記対象となる外部機器と同じ処理能力を有する外部機器に関する情報を取得することを特徴とする請求項７に記載の情報処理装置。
【請求項９】
前記探索手段は、前記取得手段によって取得された情報を探索キーワードとして、前記対象となる外部機器と同じ処理能力を有する外部機器を探索することを特徴とする請求項７または８に記載の情報処理装置。
【請求項１０】
前記操作者に対して、前記探索手段によって探索された前記外部機器を表示するとともに、表示した前記外部機器の中から外部機器を選択するための選択画面を表示する手段をさらに備え、
前記格納手段は、
前記選択画面を介して選択された前記外部機器を示す情報を、前記プロセス定義チケットと関連付けて格納することを特徴とする請求項１乃至９の何れか１項に記載の情報処理装置。
【請求項１１】
情報処理システムであって、
複数の画像処理装置と、
前記画像処理装置が実行するプロセスを定義する情報処理装置と、
前記プロセスを定義したプロセス定義チケットを管理する管理装置とを備え、
前記情報処理装置は、
前記複数の前記画像処理装置のうちプロセスを実行させる対象となる画像処理装置及び該プロセスの内容を操作者に設定させるための設定画面を表示する表示制御手段と、
前記操作者により前記設定画面を介して設定された情報に基づき、前記プロセスを定義したプロセス定義チケットを生成する生成手段と、
前記対象となる画像処理装置と同じ処理能力を有する画像処理装置を、前記複数の画像処理の中から探索する探索手段と、
前記探索手段によって探索された前記画像処理装置を示す情報を、前記プロセス定義チケットと関連付けて格納する格納手段と、
前記プロセス定義チケットを前記管理装置に送信する送信手段とを備え、
前記画像処理装置は、
前記管理装置に対して、前記プロセス定義チケットを要求する要求手段と、
前記要求手段の要求に応じて前記管理装置から送信された前記プロセス定義チケットに従って前記プロセスを実行する実行手段とを備えることを特徴とする情報処理システム。
【請求項１２】
ネットワークを介して複数の外部機器と通信可能であり、前記外部機器が実行するプロセスを定義する情報処理装置の制御方法であって、
表示制御手段が、前記複数の外部機器のうちプロセスを実行させる対象となる外部機器及び該プロセスの内容を操作者に設定させるための設定画面を表示する表示制御ステップと、
生成手段が、前記操作者により前記設定画面を介して設定された情報に基づき、前記プロセスを定義したプロセス定義チケットを生成する生成ステップと、
探索手段が、前記対象となる外部機器と同じ処理能力を有する外部機器を、前記複数の外部機器の中から探索する探索ステップと、
格納手段が、前記探索ステップにおいて探索された前記外部機器を示す情報を、前記プロセス定義チケットと関連付けて格納する格納ステップと
を実行することを特徴とする情報処理装置の制御方法。
【請求項１３】
複数の画像処理装置と、前記画像処理装置が実行するプロセスを定義する情報処理装置と、前記プロセスを定義したプロセス定義チケットを管理する管理装置とを備える情報処理システムの制御方法であって、
前記情報処理装置は、
表示制御手段が、前記複数の前記画像処理装置のうちプロセスを実行させる対象となる画像処理装置及び該プロセスの内容を操作者に設定させるための設定画面を表示する表示制御ステップと、
生成手段が、前記操作者により前記設定画面を介して設定された情報に基づき、前記プロセスを定義したプロセス定義チケットを生成する生成ステップと、
探索手段が、前記対象となる画像処理装置と同じ処理能力を有する画像処理装置を、前記複数の画像処理装置の中から探索する探索ステップと、
格納手段が、前記探索ステップにおいて探索された前記画像処理装置を示す情報を、前記プロセス定義チケットと関連付けて格納する格納ステップと、
送信手段が、前記プロセス定義チケットを前記管理装置に送信する送信ステップとを実行し、
前記画像処理装置は、
要求手段が、前記管理装置に対して、前記プロセス定義チケットを要求する要求ステップと、
実行手段が、前記要求ステップにおける要求に応じて前記管理装置から送信された前記プロセス定義チケットに従って前記プロセスを実行する実行ステップとを実行することを特徴とする情報処理システムの制御方法。
【請求項１４】
請求項１２に記載の情報処理装置の制御方法をコンピュータに実行させるためのプログラム。
【請求項１５】
請求項１３に記載の情報処理システムの制御方法をコンピュータに実行させるためのプログラム。
【手続補正２】
【補正対象書類名】明細書
【補正対象項目名】０００７
【補正方法】変更
【補正の内容】
【０００７】
本発明は、例えば、ネットワークを介して複数の外部機器と通信可能であり、外部機器が実行するプロセスを定義する情報処理装置であって、複数の外部機器のうちプロセスを実行させる対象となる外部機器及びプロセスの内容を操作者に設定させるための設定画面を表示する表示制御手段と、操作者により設定画面を介して設定された情報に基づき、プロセスを定義したプロセス定義チケットを生成する生成手段と、対象となる外部機器と同じ処理能力を有する外部機器を、複数の外部機器の中から探索する探索手段と、探索手段によって探索された外部機器を示す情報を、プロセス定義チケットと関連付けて格納する格納手段とを備えることを特徴とする。
【手続補正３】
【補正対象書類名】明細書
【補正対象項目名】０００８
【補正方法】変更
【補正の内容】
【０００８】
本発明は、例えば、情報処理システムであって、複数の画像処理装置と、画像処理装置が実行するプロセスを定義する情報処理装置と、プロセスを定義したプロセス定義チケットを管理する管理装置とを備え、情報処理装置は、複数の画像処理装置のうちプロセスを実行させる対象となる画像処理装置及びプロセスの内容を操作者に設定させるための設定画面を表示する表示制御手段と、操作者により設定画面を介して設定された情報に基づき、プロセスを定義したプロセス定義チケットを生成する生成手段と、対象となる画像処理装置と同じ処理能力を有する画像処理装置を、複数の画像処理の中から探索する探索手段と、探索手段によって探索された画像処理装置を示す情報を、プロセス定義チケットと関連付けて格納する格納手段と、プロセス定義チケットを管理装置に送信する送信手段とを備え、画像処理装置は、管理装置に対して、プロセス定義チケットを要求する要求手段と、要求手段の要求に応じて管理装置から送信されたプロセス定義チケットに従ってプロセスを実行する実行手段とを備えることを特徴とする。
【手続補正４】
【補正対象書類名】明細書
【補正対象項目名】０００９
【補正方法】変更
【補正の内容】
【０００９】
本発明は、例えば、ネットワークを介して複数の外部機器と通信可能であり、外部機器が実行するプロセスを定義する情報処理装置の制御方法であって、表示制御手段が、複数の外部機器のうちプロセスを実行させる対象となる外部機器及びプロセスの内容を操作者に設定させるための設定画面を表示する表示制御ステップと、生成手段が、操作者により設定画面を介して設定された情報に基づき、プロセスを定義したプロセス定義チケットを生成する生成ステップと、探索手段が、対象となる外部機器と同じ処理能力を有する外部機器を、複数の外部機器の中から探索する探索ステップと、格納手段が、探索ステップにおいて探索された外部機器を示す情報を、プロセス定義チケットと関連付けて格納する格納ステップとを実行することを特徴とする。
【手続補正５】
【補正対象書類名】明細書
【補正対象項目名】００１０
【補正方法】変更
【補正の内容】
【００１０】
本発明は、例えば、複数の画像処理装置と、画像処理装置が実行するプロセスを定義する情報処理装置と、プロセスを定義したプロセス定義チケットを管理する管理装置とを備える情報処理システムの制御方法であって、情報処理装置は、表示制御手段が、複数の画像処理装置のうちプロセスを実行させる対象となる画像処理装置及びプロセスの内容を操作者に設定させるための設定画面を表示する表示制御ステップと、生成手段が、操作者により設定画面を介して設定された情報に基づき、プロセスを定義したプロセス定義チケットを生成する生成ステップと、探索手段が、対象となる画像処理装置と同じ処理能力を有する画像処理装置を、複数の画像処理装置の中から探索する探索ステップと、格納手段が、探索ステップにおいて探索された画像処理装置を示す情報を、プロセス定義チケットと関連付けて格納する格納ステップと、送信手段が、プロセス定義チケットを管理装置に送信する送信ステップとを実行し、画像処理装置は、要求手段が、管理装置に対して、プロセス定義チケットを要求する要求ステップと、実行手段が、要求ステップにおける要求に応じて管理装置から送信されたプロセス定義チケットに従ってプロセスを実行する実行ステップとを実行することを特徴とする。